(57)【要約】【課題】ロックプレートによるカードの飛び出し防止を精度よく確実に行う。【解決手段】ベースハウジング１０と、スライダ５０と、イジェクトプレート３０と、カード挿入・排出方向Ｙ１Ａ、Ｙ１Ｂと直交する方向Ｙ２Ａ、Ｙ２Ｂに平行移動自在に配設され、第１の位置（ロック位置）に移動したとき、イジェクトプレートのカード排出方向への移動を制止部４１により制止すると共にカードの後端部をロック部４２によりロックし、第２の位置（非ロック位置）に移動したとき、前記制止とロックを解除するロックプレート４０と、イジェクトプレートが前端に移動したときにロックプレートを第１の位置に移動させるスプリング４８と、ボタン２５を押すことで、斜めの係合溝２２とそれに嵌まる係合突部４５のスライド作用により、ロックプレートを第２の位置（非ロック位置）に移動させてロック状態を解除し、カードを排出させるるイジェクトバー２０と、を具備する。【選択図】図９
2009146662.tif 000002
【特許請求の範囲】
【請求項１】
カード側接点と接触導通するコネクタ側端子が取り付けられた底板を有し、該底板上にカバーフレームを上から被せることで、カード挿入方向の後端部に、カバーフレームと共にカード挿入口を形成するベースハウジングと、
該ベースハウジングと前記カバーフレームの間に確保されたカード挿入空間の奥部にカード挿入・排出方向に沿ってスライド自在に配設され、前記カード挿入口からカードが挿入された際に、該カードの前端側を保持すると共に該カードの前端に押されることで前方側にスライドするスライダと、
前記ベースハウジング上に前記スライダと共にカード挿入・排出方向に移動するように設けられ、且つ、カード排出方向にイジェクトスプリングによって付勢されたイジェクトプレートと、
前記ベースハウジング上にカード挿入・排出方向と直交する方向に平行移動自在に配設され、第１の位置に移動したときに、前記イジェクトプレートのカード排出方向への移動を制止部により制止すると共に前記カードの後端部をロック部によりロックし、第２の位置に移動したときに、前記制止と前記ロックを解除するロックプレートと、
前記イジェクトプレートが前端に移動したときに、前記ロックプレートを前記第１の位置に移動させると共に、外部操作が加えられた際に前記ロックプレートを第２の位置に移動させて保持するロックプレート位置切替手段と、を具備することを特徴とするカード用コネクタ。
【請求項２】
請求項１に記載のカード用コネクタであって、
前記ロックプレート位置切替手段が、先端にイジェクトボタンを有し、前記ベースハウジングにカード挿入・排出方向に移動自在に設けられたイジェクトバーと、前記ロックプレートとイジェクトバーを係合し、該イジェクトバーのカード挿入・排出方向に沿った縦の動きを、前記ロックプレートのカード挿入・排出方向と直交する方向の横の動きに変換し、また、前記ロックプレートのカード挿入・排出方向と直交する方向の横の動きを、前記イジェクトバーのカード挿入・排出方向に沿った縦の動きに変換する動作方向変換手段と、前記ロックプレートを、前記第１の位置に向けて付勢するロックプレート用スプリングと、前記イジェクトプレートが後端に移動したとき、前記ロックプレートを前記第２の位置に保持し、イジェクトプレートが前端側へ移動したとき、前記第２の位置へのロックプレートの保持を解除するロックプレート保持手段と、から構成されていることを特徴とするカード用コネクタ。
【請求項３】
請求項２に記載のカード用コネクタであって、
前記動作方向変換手段が、前記ロックプレートまたはイジェクトバーのいずれか一方に設けられた係合溝と、他方に設けられて前記係合溝にスライド自在に係合する係合突部とで構成され、前記係合溝が、前記ロックプレートの移動方向及び前記イジェクトバーの移動方向に対して共に斜めに形成されていることを特徴とするカード用コネクタ。
【請求項４】
請求項１〜３のいずれか１項に記載のカード用コネクタであって、
前記ロックプレートに、該ロックプレートの移動方向に延びるガイド部が設けられると共に、前記ベースハウジングに、前記ガイド部がスライド自在に嵌まることで、前記ロックプレートの移動を案内するガイドレール部が設けられていることを特徴とするカード用コネクタ。
【請求項５】
請求項１〜４のいずれか１項に記載のカード用コネクタであって、
前記ベースハウジングの底板と前記スライダとの間に、該スライダをベースハウジングの底板から浮く方向に付勢する浮上バネが設けられると共に、前記カバーフレームのカード挿入方向の両側部に、前記ベースハウジングの底板に対向すると共に該底板との間に前記スライダの両側部の通過する通路を形成して該スライダの浮き量を規制する折り曲げリブが設けられ、該折り曲げリブに、前記スライダの両側部上面に設けられた押し下げ突部が、該スライダの移動に伴って摺動した際に、スライダを前記浮上バネの力に抗して前記底板に接近する方向に押し下げる押し下げ壁部と、前記押し下げ突部との当たりを逃がす切欠とが設けられ、前記押し下げ壁部と押し下げ突部の位置が、カード挿入ストロークの終了付近で、押し下げ壁部と押し下げ突部が摺動することによって、前記スライダを前記ベースハウジングの底板に接近する方向に押し下げるように設定されていることを特徴とするカード用コネクタ。
【請求項６】
請求項５に記載のカード用コネクタであって、
前記浮上バネとして、前記スライダの両側部下面に前後方向に離間して２つの板バネが設けられ、前記押し下げ突部として、前記スライダの両側部上面に前後に離間して、前記スライダを構成する板金の一部を切り起こすことにより形成された２つの板バネ状の切り起こし突片が設けられていることを特徴とするカード用コネクタ。
【発明の詳細な説明】
【技術分野】
【０００１】
本発明は、ＩＣカード等のカード用コネクタに係り、特に、カードの挿入後にカードの飛び出しを防止するカードロック機構を有したカード用コネクタに関するものである。
【背景技術】
【０００２】
この種のカード用コネクタの例として、特許文献１に記載のものが知られている。
【０００３】
図１６〜図１８は特許文献１に記載されたカード用コネクタの構成図で、図１６はコネクタにカードが挿入されたときの状態を示す平面図（但し、カバーフレームは外されている）、図１７はコネクタからカードが排出されたとき、または、カードを挿入した初期の段階を示す平面図（同上）、図１８はコネクタにカードが挿入されたときの状態を示す側面図である。
【０００４】
このカード用コネクタでは、図１６、図１７に示すように、ベースハウジング１０１の底板の上面中央に多数の端子１０３が固定されている。ベースハウジング１０１の底板上のカード挿入口から遠い奥部には、長方形のスライダ１０４がカード挿入・排出方向にスライド自在に配設されている。スライダ１０４のスライド方向の左右両側部は断面コ字状に形成され、スライダ１０４の前端部には、下方に突出した突当部１０４Ｃが設けられている。なお、ここでは、カード１２１の挿入方向の前端１２１Ｂ方向を前側、後端１２１ａ方向を後側という。
【０００５】
スライダ４の前端部付近の左右両側には一対の突起１０４Ａ、１０４Ａが設けられ、それら突起１０４ａはベースハウジング１０１の前端部付近の左右両側に設けられた一対の長溝１０１Ａ、１０１Ａに挿入されている。ベースハウジング１０１の左外側部には、ボタン１０５とイジェクトバー１０６とが一体となって、ベースハウジング１０１の左外側部に沿って移動することができるように取り付けられている。ボタン１０５は、スプリング１０７によって図１７の位置から図１６の位置へ移動するように常時付勢されている。
【０００６】
ベースハウジング１０１の左側表面の後半部には、ロックプレート１０８が、軸１０９を中心としてスプリング１１０によって左回りに付勢されて回転することができるように取り付けられている。ロックプレート１０８には、イジェクトバー１０６の突出斜面部１０６Ａに押される折曲部１０８Ａと、カード１２１の後端１２１Ａをロックするロック部１０８Ｂと、後述するイジェクトプレート１１１の一端に設けられた折曲部１１１Ａに当接する制止部１０８Ｃとが設けられている。
【０００７】
また、ベースハウジング１０１の左側表面の前半部には、イジェクトプレート１１１が、スプリング１１２に付勢されて図１７に示される位置と図１６に示される位置との間を移動することができるように装着されている。イジェクトプレート１１１は、ベースハウジング１０１に設けられた長溝１０１Ｂに挿入されており、カード挿入・排出方向にスライダ１０４と共に移動できるように設けられている。
【０００８】
イジェクトプレート１１１の他端に設けられた折曲部１１１Ｂは、カード１２１がコネクタに挿入されるときには、スライダ１０４の前端１０４Ｂによって押され、カード１２１がコネクタから排出されるときには、スライダ１０４の前端１０４Ｂを押すようになっている。
【０００９】
また、ベースハウジング１０１の中央部の付近には、スイッチ部１１３が設けられ、スイッチ部１１３は、スライダ１０４のスライドによってＯＮ／ＯＦＦされるようになっている。
【００１０】
また、このコネクタには、カード１２１の損傷とコネクタの各端子１０３の摩耗を抑制するために、下記の構成のようなランディング機構が設けられている。
【００１１】
即ち、図１８に示すように、スライダ１０４の左右両側面部には、各２個の突起１０４Ｄが設けられており、各２個の突起４Ｄに対応するベースハウジング１０１の４箇所に、突起１０４Ｄのスライドするカム溝孔１０１Ｃが設けられている。各カム溝孔１０１Ｃは、長い水平部１０１Ｃ１と、傾斜部１０１Ｃ２と、短い水平部１０１Ｃ３とが連続した形状に形成されている。 
次に動作について述べる。
【００１２】
図１７に示す位置では、カード１２１の前方の約３分の１が、スライダ１０４の下面に位置して、スライダ１０４のスライド方向の左右両側に形成された断面コ字状部に支持されており、スイッチ部１１３は、まだＯＮされていない。
【００１３】
この状態で、カード１２１の後端１２１Ａを指先によって図１６に示される矢印方向へ押すと、カード１２１の前端１２１Ｂがスライダ１０４の前端の突当部１０４Ｃを押すため、カード１２１とスライダ１０４は、コネクタの最奥部まで一体的に挿入される。
【００１４】
すると、スライダ１０４の前端部の下面は、スイッチ部１１３をＯＮし、また、スライダ１０４の前端１０４Ｂは、イジェクトプレート１１１の折曲部１１１Ｂを押す。従って、イジェクトプレート１１１は、図１７に示される位置から図１６に示される位置までスプリング１１２の付勢力に抵抗しながら移動する。
【００１５】
このとき、今までイジェクトプレート１１１の折曲部１１１Ａによって左回転を阻止されていたロックプレート１０８は、スプリング１１０の付勢力によって図１６に示される位置まで左回転する。
【００１６】
よって、ロックプレート１０８のロック部１０８Ｂは、カード１２１の後端１２１Ａをロックし（図１６中のＡ円部）、制止部１０８Ｃは、イジェクトプレート１１１の折曲部１１１Ａに当接する（図１６中のＢ円部）。ゆえに、カード１２１がコネクタに挿入された図１６の状態が維持される。この状態で、カード１２１の接点（図示せず）は、コネクタの端子に１０３に接触する。
【００１７】
次に排出時の動作について述べる。
【００１８】
図１６に示す状態において、ボタン１０５をスプリング１０７の付勢力に抗しながら押すと、イジェクトバー１０６の突出斜面部１０６Ａがロックプレート１０８の折曲部１０８Ａを押すので、ロックプレート１０８は軸１０９を中心としてスプリング１１０の付勢力に抗しながら右回転する。すると、ロックプレート１８のロック部１０８Ｂがカード１２１の後端１２１Ａから離脱し、また、制止部１０８Ｃがイジェクトプレート１１１の折曲部１１１Ａから離脱するので、イジェクトプレート１１１がスプリング１１２の付勢力によってカード排出方向に移動する。
【００１９】
このとき、イジェクトプレート１１１の折曲部１１１Ｂがスライダ１０４の前端面１０４Ｂを押すから、スライダ１０４とカード１２１は一体となってスライドし、カード１２１はコネクタから排出され、図１７に示される状態に至る。この状態において、スイッチ部１１３はＯＦＦとなる。 
次に、カード１２１を挿入・排出するときの、接点と端子１０３の摺動による損傷を軽減するためのランディング動作について述べる。
【００２０】
ランディング動作とは、カード１２１がコネクタに挿入されるときのスライダ１０４のベースハウジング１０１に対する接近動作と、カード１２１が排出されるときの離隔動作を指す。
【００２１】
スライダ１０４側の突起１０４Ｄとベースハウジング１０１側のカム溝孔１０１Ｃの嵌合によるガイド作用によって、カード１２１の挿入の最初の過程では、カード１２１はベースハウジング１０１から離隔して（浮いて）おり、カード挿入ストロークの終了付近の最後の過程で、カード１２１の接点がベースハウジング１０１の端子１０３に接触する。このときの動きは次の経過をたどる。
【００２２】
（１）まず、スライダ１０４は、スライドの最初からスライド距離の約半ばまでの間、各突起１０４Ｄが各長い水平部１０１Ｃ１にガイドされるため、ベースハウジング１０１に対して平行に離間した状態でスライドする。従って、このとき、カード１２１は、ベースハウジング１０１に圧接しない。
【００２３】
（２）続いて、スライダ１０４は、各突起１０４Ｄが各傾斜部１０１Ｃ２にガイドされるため、徐々にベースハウジング１０１に接近する。従って、このとき、同様にカード１２１もベースハウジング１０１に接近する。
【００２４】
（３）最後に、スライダ１０４は、各突起１０４Ｄが各短い水平部１０１Ｃ３にガイドされるため、ベースハウジング１０１に対して平行にスライドする。従って、このとき、ＩＣカード１２１の各接点は、ベースハウジング１０１に取り付けられた各端子１０３に接触する。
【００２５】
カード１２１がコネクタから排出されるときの動作は、この逆順になる。
【特許文献１】特許第３２００７３６号公報
【発明の開示】
【発明が解決しようとする課題】
【００２６】
ところで、上述した従来のカード用コネクタでは、ロックプレート１０８を軸１０９を中心に回動自在に設け、ロックプレート１０８の回転によって、イジェクトプレート１１１のカード排出方向への動きを制止すると共にカード１２１の後端１２１Ａをロックするようにしているので、ロックプレート１０８の位置や移動量を正確に制御しにくく、そのためカード挿入状態でのガタつきが発生しやすいという問題がある。
【００２７】
本発明は、上記事情を考慮し、ロックプレートによるカードの飛び出し防止を精度よく確実に行うことのできるカード用コネクタを提供することを目的とする。
【課題を解決するための手段】
【００２８】
請求項１の発明は、カード側接点と接触導通するコネクタ側端子が取り付けられた底板を有し、該底板上にカバーフレームを上から被せることで、カード挿入方向の後端部に、カバーフレームと共にカード挿入口を形成するベースハウジングと、該ベースハウジングと前記カバーフレームの間に確保されたカード挿入空間の奥部にカード挿入・排出方向に沿ってスライド自在に配設され、前記カード挿入口からカードが挿入された際に、該カードの前端側を保持すると共に該カードの前端に押されることで前方側にスライドするスライダと、
前記ベースハウジング上に前記スライダと共にカード挿入・排出方向に移動するように設けられ、且つ、カード排出方向にイジェクトスプリングによって付勢されたイジェクトプレートと、前記ベースハウジング上にカード挿入・排出方向と直交する方向に平行移動自在に配設され、第１の位置に移動したときに、前記イジェクトプレートのカード排出方向への移動を制止部により制止すると共に前記カードの後端部をロック部によりロックし、第２の位置に移動したときに、前記制止と前記ロックを解除するロックプレートと、前記イジェクトプレートが前端に移動したときに、前記ロックプレートを前記第１の位置に移動させると共に、外部操作が加えられた際に前記ロックプレートを第２の位置に移動させて保持するロックプレート位置切替手段と、を具備することを特徴としている。
【００２９】
請求項２の発明は、請求項１に記載のカード用コネクタであって、前記ロックプレート位置切替手段が、先端にイジェクトボタンを有し、前記ベースハウジングにカード挿入・排出方向に移動自在に設けられたイジェクトバーと、前記ロックプレートとイジェクトバーを係合し、該イジェクトバーのカード挿入・排出方向に沿った縦の動きを、前記ロックプレートのカード挿入・排出方向と直交する方向の横の動きに変換し、また、前記ロックプレートのカード挿入・排出方向と直交する方向の横の動きを、前記イジェクトバーのカード挿入・排出方向に沿った縦の動きに変換する動作方向変換手段と、前記ロックプレートを、前記第１の位置に向けて付勢するロックプレート用スプリングと、前記イジェクトプレートが後端に移動したとき、前記ロックプレートを前記第２の位置に保持し、イジェクトプレートが前端側へ移動したとき、前記第２の位置へのロックプレートの保持を解除するロックプレート保持手段と、から構成されていることを特徴としている。
【００３０】
請求項３の発明は、請求項２に記載のカード用コネクタであって、前記動作方向変換手段が、前記ロックプレートまたはイジェクトバーのいずれか一方に設けられた係合溝と、他方に設けられて前記係合溝にスライド自在に係合する係合突部とで構成され、前記係合溝が、前記ロックプレートの移動方向及び前記イジェクトバーの移動方向に対して共に斜めに形成されていることを特徴としている。
【００３１】
請求項４の発明は、請求項１〜３のいずれか１項に記載のカード用コネクタであって、前記ロックプレートに、該ロックプレートの移動方向に延びるガイド部が設けられると共に、前記ベースハウジングに、前記ガイド部がスライド自在に嵌まることで、前記ロックプレートの移動を案内するガイドレール部が設けられていることを特徴としている。
【００３２】
請求項５の発明は、請求項１〜４のいずれか１項に記載のカード用コネクタであって、前記ベースハウジングの底板と前記スライダとの間に、該スライダをベースハウジングの底板から浮く方向に付勢する浮上バネが設けられると共に、前記カバーフレームのカード挿入方向の両側部に、前記ベースハウジングの底板に対向すると共に該底板との間に前記スライダの両側部の通過する通路を形成して該スライダの浮き量を規制する折り曲げリブが設けられ、該折り曲げリブに、前記スライダの両側部上面に設けられた押し下げ突部が、該スライダの移動に伴って摺動した際に、スライダを前記浮上バネの力に抗して前記底板に接近する方向に押し下げる押し下げ壁部と、前記押し下げ突部との当たりを逃がす切欠とが設けられ、前記押し下げ壁部と押し下げ突部の位置が、カード挿入ストロークの終了付近で、押し下げ壁部と押し下げ突部が摺動することによって、前記スライダを前記ベースハウジングの底板に接近する方向に押し下げるように設定されていることを特徴としている。
【００３３】
請求項６の発明は、請求項５に記載のカード用コネクタであって、前記浮上バネとして、前記スライダの両側部下面に前後方向に離間して２つの板バネが設けられ、前記押し下げ突部として、前記スライダの両側部上面に前後に離間して、前記スライダを構成する板金の一部を切り起こすことにより形成された２つの板バネ状の切り起こし突片が設けられていることを特徴としている。
【発明の効果】
【００３４】
請求項１の発明によれば、イジェクトプレートがカードの挿入に伴ってスライダと共に前端に移動したときに、ロックプレート位置切替手段がロックプレートを第１の位置に移動させるので、ロックプレートが、イジェクトプレートのカード排出方向への移動を制止すると共に、カードの後端部をロックする。これにより、カードの飛び出しが防止される。
【００３５】
また、この状態で、ロックプレート位置切替手段により、ロックプレートを第２の位置に移動させると、前記ロックプレートによる制止とロックが解除され、イジェクトプレートがカード排出方向にイジェクトスプリングの力でスライダと共に移動し、それにより、カードが排出される。
【００３６】
この場合、イジェクトプレートの制止とカードのロックを行うロックプレートが、カード挿入・排出方向と直交する方向に平行移動するように構成されているので、カード挿入・排出方向におけるイジェクトプレートやカードに対してのロックプレートの位置決めを正確に行うことができると共に、ロックプレートの移動量を正確に制御できるようになる。従って、イジェクトプレートやカードをガタつきなく確実にロックして、カードの飛び出し防止を図ることができる。
【００３７】
請求項２の発明によれば、ロックプレート位置切替手段を、先端にイジェクトボタンを有するイジェクトバーと、イジェクトバーの動きをロックプレートの動きに変換する動作方向変換手段と、ロックプレートを第１の位置に付勢するロックプレート用スプリングと、イジェクトプレートが後端に移動したときロックプレートを第２の位置に保持するロックプレート保持手段とで構成しているので、カードを挿入して、スライダ及びイジェクトプレートを後端位置から前端側に移動させると、ロックプレート保持手段によって第２の位置に保持されていたロックプレートの保持が解除され、ロックプレートがロックプレート用スプリングの力で第１の位置に移動し、ロックプレートの制止部がイジェクトプレートのカード排出方向への移動を制止すると共に、ロック部がカードの後端をロックする。また、この第１の位置へのロックプレートの動きに応じて、イジェクトバーがイジェクト待機位置に移動する。
【００３８】
次にカードを排出する場合は、イジェクトボタンを押してイジェクトバーをイジェクト位置に移動させることにより、動作方向変換手段を介して、ロックプレートをロックプレート用スプリングの力に抗して第１の位置から第２の位置に移動させる。これにより、ロックプレートによるイジェクトプレートに対しての制止と、カードの後端に対するロックが解除され、カードがイジェクトスプリングの力で排出される。
【００３９】
このように、ロックプレート位置切替手段を、イジェクトバーと動作方向変換手段とロックプレート用スプリングとロックプレート保持手段で構成しているので、簡素な構造で正確な動きをさせることができる。
【００４０】
請求項３の発明によれば、動作方向変換手段を、斜めの係合溝と係合突部とで構成しているので、構成が簡単で低コストに実現できる。
【００４１】
請求項４の発明によれば、ガイド部とガイドレール部がロックプレートの移動を案内するから、正確且つスムーズにロックプレートをロック位置に位置決めすることができる。
【００４２】
請求項５の発明によれば、スライダとベースハウジングの底板との間に設けた浮上バネと、カバーフレームに設けた折り曲げリブと、スライダに設けた押し下げ突部と、折り曲げリブに設けた押し下げ壁部とで、いわゆるランディング機構を構成しているので、従来のカム方式に比べて構成を単純化でき組立が容易にできる。即ち、ベースハウジングの上にスライダを載せ、その上にカバーフレームを被せるだけで組立てることができるので、組立が簡単にできる。また、カード挿入ストロークの終了付近でスライダを押し下げることができるので、コネクタ側端子とカード側接点の双方の摩耗軽減を図ることができ、カードの挿抜耐久寿命の向上が図れる。また、カバーフレームの両側部を折り曲げることで折り曲げリブを形成しているので、カバーフレームの剛性アップを図ることができ、組立時や使用時の外力による変形防止を図ることができる。
【００４３】
請求項６の発明によれば、浮上バネを前後方向に離間した２つの板バネで構成し、押し下げ突部も、前後方向に離間した２つの板バネ状の切り起こし突片で構成したので、バネの柔軟性を有した滑らかな動きで、スライダをベースハウジングの底板に接近させることができ、コネクタ側端子とカード側接点をスムーズに接触させることができる。
【発明を実施するための最良の形態】
【００４４】
以下、本発明の実施形態を図面を参照して説明する。
【００４５】
図１は実施形態のカード用コネクタの分解斜視図、図２は同カード用コネクタの組立状態の構成図で、図２（ａ）は平面図、図２（ｂ）は正面図、図２（ｃ）は側面図、図３は同カード用コネクタにカードを挿入する前の状態を示す斜視図、図４は図３の状態を下から見た斜視図、図５はカードを挿入し始めたときの状態またはカードがイジェクト機構により排出されたときの状態を示す斜視図、図６はカード用コネクタにカードを完全に奥まで（挿入ストロークエンドまで）挿入したときの状態を示す斜視図である。
【００４６】
また、図７は同カード用コネクタにおけるイジェクトバーとイジェクトプレートとロックプレートの形状を示す図で、図７（ａ−１）及び図７（ａ−２）はイジェクトプレートの平面図と側面図、図７（ｂ−１）及び（図７ｂ−２）はロックプレートの平面図と側面図、図７（ｃ−１）及び（図７ｃ−２）はイジェクトバーの平面図と側面図、図８はカードを挿入する前またはカードが排出されたときのロックプレートが第２の位置（ロック解除位置）にあるときの状態を示す図で、図８（ａ）は平面図、図８（ｂ）は側面図、図９はカードを挿入ストロークエンドまで挿入してロックプレートが第１の位置（ロック位置）にあるときの状態を示す図で、図９（ａ）は平面図、図９（ｂ）は側面図である。
【００４７】
また、図１０はスライダの構成図で、図１０（ａ）は平面図、図１０（ｂ）は前面図、図１０（ｃ）は側面図、図１１はカバーフレームの構成図で、図１１（ａ）は平面図、図１１（ｂ）は前面図、（ｃ）は側面図である。
【００４８】
また、図１２（ａ）はカードを挿入する前の状態を示す前記カード用コネクタの平面図、図１２（ｂ）は図１２（ａ）のＸＩＩｂ−ＸＩＩｂ矢視断面図、図１３（ａ）はカードを挿入してスライダが若干動いたときの状態を示す前記カード用コネクタの平面図、図１３（ｂ）は図１３（ａ）のＸＩＩＩｂ−ＸＩＩＩｂ矢視断面図、図１４（ａ）はカードが挿入ストロークエンド付近に到達したときの状態を示す前記カード用コネクタの平面図、図１４（ｂ）は図１４（ａ）のＸＩＶｂ−ＸＩＶｂ矢視断面図、図１５（ａ）はカードが挿入ストロークエンドに到達したときの状態を示す前記カード用コネクタの平面図、図１５（ｂ）は図１５（ａ）のＸＶｂ−ＸＶｂ矢視断面図である。
【００４９】
図１〜図６に示すように、このカード用コネクタＭは、ＩＣカード（以下、単にカードという）１用のものであり、ベースハウジング１０と、イジェクトバー２０と、イジェクトプレート３０と、ロックプレート４０と、スライダ５０と、カバーフレーム８０と、を備えている。ベースハウジング１０の下面には、取り付けボス１２が突設されている。
【００５０】
ベースハウジング１０は例えば樹脂成形品で構成され、その他の部材は、主に金属板によるプレス成形品（樹脂成形品などでも場合によっては可）で構成されている。カード１のコネクタ挿入時に前側となる部分の下面には電気接続用の接点１Ａ（図４）が設けられている。
【００５１】
ベースハウジング１０は、カード側接点１Ａと接触導通する複数のコネクタ側端子１３が取り付けられた底板１１を有しており、その底板１１上にカバーフレーム８０を上から被せることで、カード挿入方向Ｙ１Ａの後端部に、カバーフレーム８０と共にカード挿入口２（図３）を形成している。ベースハウジング１０の奥部には、カード挿入検知用のスイッチ１８が設けられている。
【００５２】
スライダ５０は、ベースハウジング１０とカバーフレーム８０の間に確保されたカード挿入空間の奥部にカード挿入・排出方向Ｙ１Ａ、Ｙ１Ｂに沿ってスライド自在に配設されており、カード挿入口２からカード１が挿入された際に、該カード１の前端側を保持すると共に、カード１の前端に押されることで前方側にスライドするようになっている。
【００５３】
図１０に示すように、スライダ５０は矩形の基板５１を有しており、その矩形の基板５１の左右両側部の下面側に、カード１の左右両側部を挿入可能な断面コ字状部分を有し、その断面コ字状部分の下面に、前後方向に離間した２枚の斜めの板バネよりなる浮上バネ５３を有している。この浮上バネ５３は、スライダ５０をベースハウジング１０の底板１１から浮く方向に付勢するものである。
【００５４】
また、基板５１の両側部下面側の浮上バネ５３に対応する基板５１の上面側には、前後方向に離間した２つの押し下げ突部５２が設けられている。これら押し下げ突部５２は、スライダ５０を構成する板金の一部を切り起こすことにより形成された板バネ状の切り起こし突片によって構成されており、板バネ状の切り起こし突片は、カード挿入方向Ｙ１Ａの後側に向けて上り傾斜している。この傾斜は、押し下げ突部５２が、後述するカバーフレーム８０の折り曲げリブ８２の押し下げ壁部８２ａの下面に、滑りながら入り込みやすくするために設けられている。
【００５５】
また、スライダ５０の前端部には、カード１の前端が突き当たる突当壁５４が折り曲げ形成され、コネクタＭ内に挿入されたカード１の前端がこの突当壁５４に当たることで、スライダ５０がカード１と共に前方へ移動するようになっている。
【００５６】
イジェクトプレート３０は、ベースハウジング１０の底板１１の前半部上面の右端寄りの位置に、スライダ５０と共にカード挿入・排出方向Ｙ１Ａ、Ｙ１Ｂに移動できるように設けられており、カード排出方向Ｙ１にイジェクトスプリング３８によって付勢されている。
【００５７】
このイジェクトプレート３０は、図７（ａ−１）、図７（ａ−２）にその形状を示すように、帯板状のものであり、カード挿入方向Ｙ１Ａの前端に、カード１の前端が突き当たる上向きに折れ曲がった突当壁３１を有し、後端に、下向きに折れ曲がった係合壁３２を有している。また、前端側の側部には、イジェクトスプリング３８の一端を係止するスプリング係止部３３を有している。なお、このイジェクトプレート３０は、ベースハウジング１０の底板１１の上面に形成された浅い溝に嵌っており、その溝にガイドされながら、カード挿入・排出方向Ｙ１Ａ、Ｙ１Ｂにスライドするようになっている。
【００５８】
また、ロックプレート４０は、ベースハウジング１０の底板１１の後半部上面に、イジェクトプレート３０の後側に位置させて、カード挿入・排出方向Ｙ１と直交する方向Ｙ２に平行移動自在に配設されている。このロックプレート４０は、図７（ｂ−１）、図７（ｂ−２）にその形状を示すように、カード挿入方向Ｙ１Ａの前端に、イジェクトプレート３０の後端の係合壁３２と係合することでイジェクトプレート３０のカード排出方向Ｙ１Ｂへの移動を制止する制止部４１を有し、後端に、挿入ストロークエンドまで挿入されたカード１の後端に係合することでカード１の排出方向Ｙ１Ｂへの移動をロックする上向きに折れ曲がった突片状のロック部４２を有している。
【００５９】
また、ロックプレート４０は、長さ方向の途中に、上向きに折り曲げ形成した係合突部４５を有すると共に、ロックプレート用スプリング３８の一端を係止するスプリング係止部４３を有している。また、前端側の側部に、イジェクトプレート３０の係合壁３２と係合する側縁部４６を有し、同じ側の側部に、ロックプレート４０の移動方向に延びる長方形突片状のガイドバー部（ガイド部）４４を有している。
【００６０】
このロックプレート４０は、ベースハウジング１０の底板１１の上面に形成された浅い収容凹部１４に嵌っており、その収容凹部１４のガイドレール部１４ａにロックプレート４０のガイドバー部４４がスライド自在に嵌まっている。そして、ガイドレール部１４ａにガイドバー部４４がスライドすることで、ロックプレート４０の移動が案内されるようになっている。
【００６１】
このロックプレート４０は、図９に示す第１の位置（ロック位置）に移動したときに、イジェクトプレート３０のカード排出方向Ｙ１Ｂへの移動を、前端の制止部４１がイジェクトプレート３０の係合壁３２に係合することにより制止すると同時に、挿入ストロークエンドまで挿入されたカード１の後端部にロック部４２が係合することにより、カード１の排出方向Ｙ１Ｂへの移動をロックする。また、図８に示す第２の位置（非ロック位置）に移動したときに、制止部４１とロック部４２の係合が外れて、前記制止とロックを解除するようになっている。
【００６２】
また、ロックプレート４０が図８の第２の位置に移動したときには、前記制止とロックが解除されることにより、イジェクトプレート３０がイジェクトスプリング３８の力でカード排出方向Ｙ１Ｂに移動し、同様にスライダ５０がカード排出方向Ｙ１Ｂに移動することで、カード１が排出される。そして、後端に移動したイジェクトプレート３０の係合壁３２にロックプレート４０の側縁部４６が当たることで、ロックプレート４０の第１の位置への移動が制止され、ロックプレート４０が図８に示すカード挿入待機位置に保持される。従って、ここでは、ロックプレート４０の側縁部４６とイジェクトプレート３０の係合壁３２とが、ロックプレート保持手段を構成している。
【００６３】
また、この状態からカード１が挿入されると、スライダ５０がカード１に押されて前方へ移動すると共に、イジェクトプレート３０もカード１に押されて前端側に移動する。カード１の挿入に伴ってイジェクトプレート３０が挿入ストロークエンド（前端）まで移動すると、係合壁３２とロックプレート４０の側縁部４６との係合が外れ、ロックプレート４０がロックプレート用スプリング４８の力で、図９に示す第１の位置側（矢印Ｙ２Ａ方向）へ移動し、そして、ロックプレート４０の前端の制止部４１がイジェクトプレート３０の後端の係合壁３２に係合することでイジェクトプレート３０のカード排出方向Ｙ１Ｂへの移動を制止し、ロックプレート４０の後端のロック部４２がカード１の後端に係合することでカード１の排出方向Ｙ１Ｂへの移動をロックする。
【００６４】
以上のようにロックプレート４０の位置を切り替える手段（ロックプレート位置切替手段）の要素として、先端（カード挿入方向Ｙ１Ａにおける後端）にイジェクトボタン２５を有するイジェクトバー２０が設けられている。
【００６５】
イジェクトバー２０は、ベースハウジング１０の右側部に沿って設けられており、カード挿入・排出方向Ｙ１Ａ、Ｙ１Ｂに移動自在となっている。そして、イジェクトボタン２５に内蔵されたスプリング２８（図９）によって、カード排出方向Ｙ１Ｂに付勢されている。
【００６６】
このイジェクトバー２０は、図７（ｃ−１）、図７（ｃ−２）にその形状を示すように、途中に幅方向に段の付いた概略帯板状のものであり、カード挿入・排出方向Ｙ１Ａ、Ｙ１Ｂの中間部に、ロックプレート４０の上側に張り出す張出壁２１を有し、その張出壁２１に、カード挿入・排出方向Ｙ１Ａ、Ｙ１Ｂ及びロックプレート４０の移動方向Ｙ２Ａ、Ｙ２Ｂに対して約４５度の傾きを持った係合溝２２を有している。
【００６７】
そして、この係合溝２２に、ロックプレート４０の係合突部４５がスライド自在に係合しており、これら係合溝２２と係合突部４５により、イジェクトバー２０のカード挿入・排出方向Ｙ１Ａ、Ｙ１Ｂに沿った縦の動きを、ロックプレート４０のカード挿入・排出方向Ｙ１Ａ、Ｙ１Ｂと直交する方向Ｙ２Ａ、Ｙ２Ｂの横の動きに変換し、また、ロックプレート４０のカード挿入・排出方向Ｙ１Ａ、Ｙ１Ｂと直交する方向Ｙ２Ａ、Ｙ２Ｂの横の動きを、イジェクトバー２０のカード挿入・排出方向Ｙ１Ａ、Ｙ１Ｂに沿った縦の動きに変換する動作方向変換手段が構成されている。
【００６８】
なお、ロックプレート４０側に係合溝２２を形成し、イジェクトバー２０側に係合溝２２にスライド自在に係合する係合突部４５を設けてもよい。
【００６９】
また、ベースハウジング１０の上に被さるカバーフレーム８０は、前半部分に矩形枠部８１を有するものとして形成されており、その矩形枠部８１の左右両側部に、ベースハウジング１０の底板１１に対向すると共に該底板１１との間にスライダ５０の両側部の通過する通路を形成して該スライダ５０の浮き量を規制する折り曲げリブ８２が設けられている。
【００７０】
折り曲げリブ８２は、矩形枠部８１の両側部を内側に折り曲げることで形成されており、この左右の折り曲げリブ８２に、スライダ５０の両側部上面に設けられた押し下げ突部５２がスライダ５０の移動に伴って摺動した際に、スライダ５０を浮上バネ５３の力に抗して底板１１に接近する方向に押し下げる押し下げ壁部８２ａと、押し下げ突部５２との当たりを逃がす切欠８２ｂとが設けられている。
【００７１】
そして、押し下げ壁部８２ａと押し下げ突部５２の位置が、カード挿入ストロークの終了付近で、押し下げ壁部８２ａと押し下げ突部５２が摺動することによって、スライダ５０をベースハウジング１０の底板１１に接近する方向に押し下げるように設定されている。
【００７２】
次に動作について説明する。
【００７３】
カード１の挿入前は図８に示す状態となっている。即ち、後端に移動したイジェクトプレート３０の係合壁３２にロックプレート４０の側縁部４６が係合することにより、ロックプレート４０が第２の位置（非ロック位置）に保持されている。
【００７４】
この状態において、カード１をカード挿入口２から挿入する。そうすると、カード１の前端に押されてスライダ５０とイジェクトプレート３０が前方へ移動する。イジェクトプレート３０がカード１の挿入に伴ってスライダ５０と共に前端（カード挿入ストロークエンド）に移動すると、イジェクトプレート３０の係合壁３２とロックプレート４０の側縁部４６と係合が外れるので、ロックプレート用スプリング４８の力でロックプレート４０が、図９に示す第１の位置（ロック位置）まで横に平行移動する。
【００７５】
これにより、ロックプレート４０の前端の制止部４１がイジェクトプレート３０の後端の係合壁３２に係合して、イジェクトプレート３０のカード排出方向Ｙ１Ｂへの移動を制止する（図９のＢ円部）。同時に、ロックプレート４０の後端のロック部４２がカード挿入ストロークエンドまで挿入されたカード１の後端にロックして（図９のＡ円部）、カード１の排出方向Ｙ１Ｂへの移動を阻止する。これにより、カード１の飛び出しが防止される。このとき、第１の位置へのロックプレート４０の動きに応じて、イジェクトバー２０がイジェクト待機位置に移動する。
【００７６】
この場合、イジェクトプレート３０の制止とカード１のロックを行うロックプレート４０が、カード挿入・排出方向Ｙ１Ａ、Ｙ１Ｂと直交する方向Ｙ２Ａ、Ｙ２Ｂに平行移動するように構成されているので、カード挿入・排出方向Ｙ１Ａ、Ｙ１Ｂにおけるイジェクトプレート３０やカード１に対してのロックプレート４０の位置決めを正確に行うことができると共に、ロックプレート４０の移動量を正確に制御できるようになる。従って、イジェクトプレート３０やカード１をガタつきなく確実にロックして、カード１の飛び出し防止を図ることができる。
【００７７】
次に、カード１を排出する場合は、イジェクトボタン２５を押してイジェクトバー２０をカード挿入方向Ｙ１Ａに向けて移動させる。そうすると、斜めの係合溝２２とそれに嵌まる係合突部４５の案内作用により、ロックプレート４０が、ロックプレート用スプリング４８の力に抗して、図９に示す第１の位置から図８に示す第２の位置（矢印Ｙ１Ｂ方向）に移動する。これにより、ロックプレート４０によるイジェクトプレート３０に対しての制止と、カード１の後端に対するロックが解除され、カード１がイジェクトスプリング３８の力で排出される。
【００７８】
このように、ロックプレート４０の位置を切り替える手段を、イジェクトバー２０と動作方向変換手段（係合溝２２と係合突部４５の組合せ）とロックプレート用スプリング３８とロックプレート保持手段（イジェクトプレート３０の係合壁３２とロックプレート４０の側縁部４６の組合せ）で構成しているので、簡素な構造で正確な動きをさせることができる。
【００７９】
また、ロックプレート４０のガイドバー部４４とベースハウジング１０の収容凹部１４のガイドレール部１４ａの組合せによってロックプレート４０の移動を案内するようにしているから、正確且つスムーズにロックプレート４０をロック位置に位置決めすることができる。
【００８０】
次にランディング動作について述べる。
【００８１】
図１２に示すように、カード１を挿入する前の状態においては、スライダ５０の押し下げ突部５２が、カバーフレーム８０の折り曲げリブ８２の押し下げ壁部８２ａに当たっていない（前側の押し下げ突部５２は切欠８２ｂの位置にあり、後側の押し下げ突部５２は折り曲げリブ８２の手前の位置にある）ので、スライダ５０は、浮上バネ５３の力で上に持ち上がっており、ベースハウジング１０の底板１１から離間している。
【００８２】
この状態でカード１を挿入すると、図１３、図１４に示すように、スライダ５０が前方へ移動する。図１４に示すように、スライダ５０が挿入ストロークエンド付近まで移動すると、スライダ５０の両側部上面に設けた押し下げ突部５２が、カバーフレーム８０の折り曲げリブ８２の押し下げ壁部８２ａの下面に滑り込む。そして、押し下げ壁部８２ａに押し下げ突部５２が押されることで、図１５に示すように、スライダ５０が浮上バネ５３の力に抗して下方へ押し下げられる。これにより、スライダ５０が前方に移動するに従い、徐々にベースハウジング１０の底板１１に接近していき、その動きにより、カード１の下面の接点１Ａが端子１３に接触する。
【００８３】
カード排出時には、これと逆の動きをすることになる。
【００８４】
このように、カード挿入初期においてはスライダ５０とベースハウジング１０の底板１１との間に距離が開いているものの、カード挿入ストロークエンド付近で、スライダ５０を徐々に押し下げて、コネクタ側端子１３とカード側接点１Ａを徐々に強く接触させることができる。従って、コネクタ側端子１３とカード側接点１Ａの双方の摩耗軽減を図ることができて、カード１の挿抜耐久寿命の向上が図れる。
【００８５】
また、このカード用コネクタＭにおいては、スライダ５０とベースハウジング１０の底板１１との間に設けた浮上バネ５３と、カバーフレーム８０に設けた折り曲げリブ８２と、スライダ５０に設けた押し下げ突部５２と、折り曲げリブ８２に設けた押し下げ壁部８２ａとで、いわゆるランディング機構を構成しているので、従来のカム方式に比べて構成を単純化でき組立が容易にできる。即ち、ベースハウジング１０の上にスライダ５０を載せ、その上にカバーフレーム８０を被せるだけで組立てることができるので、組立が簡単にできる。
【００８６】
また、カバーフレーム８０の両側部を折り曲げることで折り曲げリブ８２を形成しているので、カバーフレーム８０の剛性アップを図ることができ、組立時や使用時の外力による変形防止を図ることができる。
【００８７】
また、本実施形態のカード用コネクタＭにおいては、浮上バネ５３を前後方向に離間した２つの板バネで構成し、押し下げ突部５２も、前後方向に離間した２つの板バネ状の切り起こし突片で構成しているので、バネの柔軟性を有した滑らかな動きで、スライダ５０をベースハウジング１０の底板１１に徐々に接近させることができ、コネクタ側端子１３とカード側接点１Ａをスムーズに接触させることができる。
【図面の簡単な説明】
【００８８】
【図１】本発明の実施形態のカード用コネクタの分解斜視図である。
【図２】同カード用コネクタの組立状態の構成図で、（ａ）は平面図、（ｂ）は正面図、（ｃ）は側面図である。
【図３】同カード用コネクタにカードを挿入する前の状態を示す斜視図である。
【図４】図３の状態を下から見た斜視図である。
【図５】同カード用コネクタにおいて、カードを挿入し始めたときの状態またはカードがイジェクト機構により排出されたときの状態を示す斜視図である。
【図６】同カード用コネクタにカードを完全に奥まで挿入したときの状態を示す斜視図である。
【図７】同カード用コネクタにおけるイジェクトバーとイジェクトプレートとロックプレートの形状を示す図で、（ａ−１）及び（ａ−２）はイジェクトプレートの平面図と側面図、（ｂ−１）及び（ｂ−２）はロックプレートの平面図と側面図、（ｃ−１）及び（ｃ−２）はイジェクトバーの平面図と側面図である。
【図８】同カード用コネクタにおいて、カードを挿入する前またはカードが排出されたときのロックプレートが第２の位置（ロック解除位置）にあるときの状態を示す図で、（ａ）は平面図、（ｂ）は側面図である。
【図９】同カード用コネクタにおいて、カードを挿入ストロークエンドまで挿入してロックプレートが第１の位置（ロック位置）にあるときの状態を示す図で、（ａ）は平面図、（ｂ）は側面図である。
【図１０】同カード用コネクタにおけるスライダの構成図で、（ａ）は平面図、（ｂ）は前面図、（ｃ）は側面図である。
【図１１】同カード用コネクタにおけるカバーフレームの構成図で、（ａ）は平面図、（ｂ）は前面図、（ｃ）は側面図である。
【図１２】（ａ）はカードを挿入する前の状態を示す前記カード用コネクタの平面図、（ｂ）は（ａ）のＸＩＩｂ−ＸＩＩｂ矢視断面図である。
【図１３】（ａ）はカードを挿入してスライダが若干動いたときの状態を示す前記カード用コネクタの平面図、（ｂ）は（ａ）のＸＩＩＩｂ−ＸＩＩＩｂ矢視断面図である。
【図１４】（ａ）はカードが挿入ストロークエンド付近に到達したときの状態を示す前記カード用コネクタの平面図、（ｂ）は（ａ）のＸＩＶｂ−ＸＩＶｂ矢視断面図である。
【図１５】（ａ）はカードが挿入ストロークエンドに到達したときの状態を示す前記カード用コネクタの平面図、（ｂ）は（ａ）のＸＶｂ−ＸＶｂ矢視断面図である。
【図１６】特許文献１に記載された従来のカード用コネクタの構成図で、コネクタにカードが挿入されたときの平面図（但し、カバーフレームは外されている）である。
【図１７】同カード用コネクタの構成図で、該コネクタからカードが排出されたとき、または、カードを挿入した初期の段階の平面図（同上）である。
【図１８】同カード用コネクタの構成図で、コネクタにカードが挿入されたときの状態を示す側面図である。
【符号の説明】
【００８９】
Ｍ  カード用コネクタ
１  カード
１Ａ  接点
２  カード挿入口
１０  ベースハウジング
１１  底板
１３  端子
１４ａ  ガイドレール部
２０  イジェクトバー
２２  係合溝（動作方向変換手段）
２５  イジェクトボタン
３０  イジェクトプレート
３１  突当壁
３２  係合壁（ロックプレート保持手段）
３８  イジェクトスプリング
４０  ロックプレート
４１  制止部
４２  ロック部
４４  ガイドバー部（ガイド部）
４５  係合突部（動作方向変換手段）
４６  側縁部（ロックプレート保持手段）
４８  ロックプレート用スプリング
５０  スライダ
５２  押し下げ突部
５３  浮上バネ
８０  カバーフレーム
８２  折り曲げリブ
８２ａ  押し下げ壁部
８２ｂ  切欠
Ｙ１Ａ  カード挿入方向
Ｙ１Ｂ  カード排出方向
Ｙ２Ａ，Ｙ２Ｂ  カード挿入・排出方向と直交する方向
【図１】
2009146662.tif 000003
【図２】
2009146662.tif 000004
【図３】
2009146662.tif 000005
【図４】
2009146662.tif 000006
【図５】
2009146662.tif 000007
【図６】
2009146662.tif 000008
【図７】
2009146662.tif 000009
【図８】
2009146662.tif 000010
【図９】
2009146662.tif 000011
【図１０】
2009146662.tif 000012
【図１１】
2009146662.tif 000013
【図１２】
2009146662.tif 000014
【図１３】
2009146662.tif 000015
【図１４】
2009146662.tif 000016
【図１５】
2009146662.tif 000017
【図１６】
2009146662.tif 000018
【図１７】
2009146662.tif 000019
【図１８】
2009146662.tif 000020